(57)【要約】【課題】光源ユニットを組み立てやすくする。【解決手段】光源ユニット４００は、光源モジュール４１０と、取り付け部材４２０と、取り付け補助部材４３０と、固定カバー４４０とを備える。取り付け部材４２０は、取り付け面４２５を有する。固定カバー４４０は、取り付け面４２５に取り付けられる。固定カバー４４０には、開口部４４２が設けられる。光源モジュール４１０は、固定カバー４４０と取り付け部材４２０との間に挟まれた状態で取り付け面４２５の中心を含む領域に固定され、固定カバー４４０の開口部４４２を通して光を照射する。取り付け補助部材４３０は、取り付け面４２５の光源モジュール４１０が固定された領域に隣接する位置に、光源モジュール４１０の位置決めのために設置される。【選択図】図４
2017041333.tif 000002
【特許請求の範囲】
【請求項１】
開口部が設けられた固定カバーと、
前記固定カバーが取り付けられた取り付け面を有する取り付け部材と、
前記固定カバーと前記取り付け部材との間に挟まれた状態で前記取り付け面の中心を含む領域に固定され、前記固定カバーの開口部を通して光を照射する光源モジュールと、
前記取り付け面の前記光源モジュールが固定された領域に隣接する位置に、前記光源モジュールの位置決めのために設置された取り付け補助部材と
を備える光源ユニット。
【請求項２】
前記取り付け補助部材は、前記取り付け面に対して垂直に延びて前記光源モジュールの側面の一部に接する案内面を有する請求項１に記載の光源ユニット。
【請求項３】
前記光源モジュールの側面の一部は、外側に膨らんだ形状であり、
前記案内面は、前記光源モジュールの側面の外側に膨らんだ形状に合わせて内側に凹んでいる請求項２に記載の光源ユニット。
【請求項４】
前記取り付け面には、１対の穴が設けられ、
前記取り付け補助部材は、前記取り付け面の１対の穴に嵌る１対の取り付け凸部を有する請求項１から３のいずれか１項に記載の光源ユニット。
【請求項５】
前記固定カバーの前記取り付け面に対向する対向面には、穴又は溝が設けられ、
前記取り付け補助部材は、前記対向面の穴又は溝に嵌る固定凸部を有する請求項１から４のいずれか１項に記載の光源ユニット。
【請求項６】
埋め込み穴に埋め込まれて使用される照明装置であって、
請求項１から５のいずれか１項に記載の光源ユニットと、
前記埋め込み穴の径よりも外径が大きく内径が小さい環状のツバ部と、前記ツバ部から立ち上がり第１穴及び第２穴が設けられた立ち上がり部とを有する枠体と
を備え、
前記取り付け補助部材は、前記立ち上がり部の第１穴に引っ掛かる第１凸部を有し、
前記光源ユニットは、さらに、前記立ち上がり部の第２穴に引っ掛かる第２凸部を有する照明装置。
【請求項７】
前記固定カバーの側面には、切り欠きが設けられ、
前記取り付け補助部材は、一部が前記固定カバーの側面の切り欠きから外側に露出し、
前記第１凸部は、前記取り付け補助部材の外側に露出した部分に配置されている請求項６に記載の照明装置。
【請求項８】
前記第１凸部は、バネ性を有する請求項６又は７に記載の照明装置。
【請求項９】
前記第２凸部は、前記固定カバーに取り付けられるバネに形成されている請求項６から８のいずれか１項に記載の照明装置。
【請求項１０】
埋め込み穴に埋め込まれて使用される照明装置の枠体であって、
前記埋め込み穴の径よりも外径が大きく内径が小さい環状のツバ部と、
前記ツバ部から立ち上がり、前記照明装置の光源ユニットに設けられた第１凸部及び第２凸部をそれぞれ引っ掛けるための第１穴及び第２穴が設けられた立ち上がり部と
を備える照明装置の枠体。
【発明の詳細な説明】
【技術分野】
【０００１】
本発明は、光源ユニット及び照明装置及び照明装置の枠体に関するものである。
【背景技術】
【０００２】
従来、ＬＥＤ素子及び点灯回路の電子部品が実装されたＬＥＤユニット基板と、ＬＥＤユニット基板を支持する基板支持部材とを筐体内に有するＬＥＤランプ本体を備える照明装置がある（例えば、特許文献１参照）。
【０００３】
また、建築構造部に固定される支持枠に取り付けられる光源ユニットがある（例えば、特許文献２参照）。
【先行技術文献】
【特許文献】
【０００４】
【特許文献１】特開２０１５−６４９４７号公報
【特許文献２】特許第５６９８８６１号公報
【発明の概要】
【発明が解決しようとする課題】
【０００５】
特許文献１に記載の照明装置では、ＬＥＤユニット基板と基板支持部材との形状を対応させることで、ＬＥＤユニット基板を基板支持部材に取り付ける位置が決められている。そのため、ＬＥＤランプ本体を組み立てる際に、ＬＥＤユニット基板と基板支持部材との位置合わせに手間がかかる。また、ＬＥＤユニット基板の形状を変更する場合は、基板支持部材の形状も変更しなければならない。
【０００６】
特許文献２に記載の光源ユニットは、支持枠に対して下側から挿入される。そのため、光源ユニットの外郭を支持枠の開口よりも小さくする必要があり、電源や放熱フィンを取り付けると、光源ユニットが長くなってしまう。また、光源ユニットの取り付けが甘いと、光源ユニットが支持枠から脱落するおそれがある。
【０００７】
本発明は、光源ユニットを組み立てやすくすることを目的とする。
【課題を解決するための手段】
【０００８】
本発明の一態様に係る光源ユニットは、
開口部が設けられた固定カバーと、
前記固定カバーが取り付けられた取り付け面を有する取り付け部材と、
前記固定カバーと前記取り付け部材との間に挟まれた状態で前記取り付け面の中心を含む領域に固定され、前記固定カバーの開口部を通して光を照射する光源モジュールと、
前記取り付け面の前記光源モジュールが固定された領域に隣接する位置に、前記光源モジュールの位置決めのために設置された取り付け補助部材とを備える。
【発明の効果】
【０００９】
本発明では、取り付け面の光源モジュールが固定された領域に隣接する位置に、光源モジュールの位置決めのための取り付け補助部材が設置される。このため、本発明によれば、光源ユニットを組み立てやすくなる。
【図面の簡単な説明】
【００１０】
【図１】実施の形態１に係る照明装置の斜視図。
【図２】実施の形態１に係る照明装置の側面図。
【図３】実施の形態１に係る照明装置の平面図。
【図４】実施の形態１に係る照明装置のＡ−Ａ断面図。
【図５】実施の形態１に係る照明装置の分解斜視図。
【図６】実施の形態１に係る照明装置の分解斜視図。
【図７】実施の形態１に係る照明ユニットの斜視図。
【図８】実施の形態１に係る照明ユニットの分解斜視図。
【図９】実施の形態１に係る取り付け補助部材の（ａ）斜視図、（ｂ）別の角度での斜視図。
【図１０】実施の形態１に係る取り付け補助部材の（ａ）平面図、（ｂ）正面図、（ｃ）底面図、（ｄ）Ｂ−Ｂ断面図、（ｅ）Ｃ−Ｃ断面図。
【図１１】実施の形態１に係るバネの（ａ）斜視図、（ｂ）平面図、（ｃ）側面図、（ｄ）背面図。
【図１２】実施の形態１に係る照明ユニットを枠体に取り付ける工程を示す断面図。
【図１３】実施の形態２に係る照明装置のＡ−Ａ断面図。
【図１４】実施の形態２に係る照明ユニットの斜視図。
【図１５】実施の形態２に係る照明ユニットの分解斜視図。
【図１６】実施の形態２に係る照明ユニットを枠体に取り付ける工程を示す断面図。
【発明を実施するための形態】
【００１１】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、実施の形態の説明において、「上」、「下」、「左」、「右」、「前」、「後」、「表」、「裏」といった配置や向き等は、説明の便宜上、そのように記しているだけであって、装置、器具、部品等の配置や向き等を限定するものではない。装置、器具、部品等の構成について、その材質、形状、大きさ等は、本発明の範囲内で適宜変更することができる。
【００１２】
実施の形態１．
本実施の形態に係る装置の構成、本実施の形態に係る装置の組み立て手順、本実施の形態の効果を順番に説明する。
【００１３】
＊＊＊構成の説明＊＊＊
図１から図１１を参照して、本実施の形態に係る装置である照明装置９００の構成を説明する。
【００１４】
照明装置９００は、埋め込み穴に埋め込まれて使用される。
【００１５】
図１及び図２及び図３に示すように、照明装置９００は、枠体１００と、照明ユニット３００とを備える。枠体１００は、埋め込み穴が設けられた天井等の被取り付け部に取り付けられる。照明ユニット３００は、枠体１００に着脱可能に取り付けられる。
【００１６】
図４及び図５及び図６に示すように、枠体１００は、ツバ部１１０と、立ち上がり部１２０と、傾斜部１７０とを備える。ツバ部１１０は、被取り付け部に形成される円形の埋め込み穴の縁部に当接する。立ち上がり部１２０は、ツバ部１１０から略垂直方向に立ち上がる。立ち上がり部１２０には、３つの取り付けバネ２００が取り付けられる。また、立ち上がり部１２０には、第１穴１５０及び第２穴１６０が設けられる。傾斜部１７０は、ツバ部１１０の内側に斜め方向に形成され、略中央部に円形状の開口部１７１を有する。
【００１７】
ツバ部１１０は、リング状に形成されている。具体的には、ツバ部１１０は、被取り付け部に設けられた埋め込み穴の径よりも外径が大きく内径が小さくなるように環状に形成されている。
【００１８】
立ち上がり部１２０は、枠部１３０と、３つの取り付けバネ保持部１４０とを有する。枠部１３０は、円周方向に連続して形成される。取り付けバネ保持部１４０は、枠部１３０の外周の３箇所に形成される。枠部１３０の外周の１箇所には、枠部１３０の内周に貫通する第１穴１５０が形成される。枠部１３０の外周の第１穴１５０に対向する箇所の両側には、枠部１３０の内周に貫通する第２穴１６０が１つずつ形成される。
【００１９】
枠部１３０の中心軸を基準とする円周方向において、３つの取り付けバネ保持部１４０のうち、１つの取り付けバネ保持部１４０が形成される位置を０度の位置としたとき、残りの２つの取り付けバネ保持部１４０が形成される位置は、それぞれ１２０度及び２４０度の位置である。第１穴１５０が形成される位置は、１２０度よりも大きく、２４０度よりも小さい角度の位置であり、望ましくは、１８０度の位置である。２つの第２穴１６０のうち、一方の第２穴１６０が形成される位置は、０度よりも大きく、１２０度よりも小さい角度の位置であり、望ましくは、１０度以上３０度以下の角度の位置である。他方の第２穴１６０が形成される位置は、２４０度よりも大きく、３６０度よりも小さい角度の位置であり、望ましくは、３３０度以上３５０度以下の角度の位置である。２つの第２穴１６０が形成される位置は、０度の位置から同じ角度だけ離れていることが望ましい。
【００２０】
上記のように、取り付けバネ保持部１４０は、等間隔に３つ以上設けられることが望ましい。第１穴１５０は、いずれか２つの取り付けバネ保持部１４０の中間に１つ設けられることが望ましい。第２穴１６０は、第１穴１５０と向き合う位置に１つ、或いは、その位置から両側に少しずれた位置に１つずつ設けられることが望ましい。なお、取り付けバネ保持部１４０、第１穴１５０、第２穴１６０の位置及び個数は、適宜変更することができる。具体的には、取り付けバネ保持部１４０は、取り付けバネ保持部１４０に取り付けられる取り付けバネ２００が、後述する電源端子台５４０と干渉しない２つ以上の位置に設けられていればよい。取り付けバネ保持部１４０は、望ましくは、等間隔に２つ以上設けられる。第１穴１５０は、取り付けバネ保持部１４０の位置と重複しない１つ以上の位置に設けられていればよい。第２穴１６０は、取り付けバネ保持部１４０及び第１穴１５０の位置と重複しない１つ以上の位置に設けられていればよい。第１穴１５０及び第２穴１６０が１つずつ設けられる場合、第１穴１５０は、望ましくは、第２穴１６０と対向する位置に設けられる。第１穴１５０が１つ、第２穴１６０が２つ設けられる場合、第１穴１５０は、望ましくは、２つの第２穴１６０の中間位置と対向する位置に設けられる。
【００２１】
取り付けバネ２００は、長手状かつ平板状の金属板が長手方向の少なくとも１箇所で鋭角に折り曲げられて形成される板バネである。取り付けバネ２００の長手方向の一端は、取り付けバネ保持部１４０に取り付けられる。取り付けバネ２００の長手方向の他端は、被取り付け部の埋め込み穴に引っ掛けられるように屈曲している。この屈曲した部分によって、照明装置９００を被取り付け部に仮止めしたり、照明装置９００の落下を防止したりすることができる。
【００２２】
傾斜部１７０は、椀状又は円錐形グラス状に形成される傾斜面１８０を有する。傾斜面１８０は、後述する光源からの光を反射する反射面になっている。
【００２３】
図４及び図５及び図６及び図７及び図８に示すように、照明ユニット３００は、光源ユニット４００と、電源ユニット５００とを備える。
【００２４】
光源ユニット４００は、光源モジュール４１０と、取り付け部材４２０と、取り付け補助部材４３０と、固定カバー４４０と、バネ４５０と、ネジ４６０と、光透過性カバー４７０と、絶縁シート４８０とを備える。
【００２５】
取り付け部材４２０には、光源モジュール４１０が取り付けられる。取り付け補助部材４３０は、取り付け部材４２０への光源モジュール４１０の取り付けを補助する。固定カバー４４０は、取り付け補助部材４３０を固定するとともに、光源モジュール４１０を取り付け部材４２０に固定する。バネ４５０は、外側に突出するように固定カバー４４０に取り付けられる。ネジ４６０は、固定カバー４４０を取り付け部材４２０に締結する。光透過性カバー４７０は、透明又は半透明である。即ち、光透過性カバー４７０は、透光性を有する。光透過性カバー４７０は、固定カバー４４０に取り付けられ、光源モジュール４１０の発光部を覆う。
【００２６】
光源モジュール４１０は、表面実装型（ＳＭＤ）の複数のＬＥＤ４１１と、これら複数のＬＥＤ４１１が実装される基板４１２とを有する。なお、ＬＥＤ４１１は、表面実装型に限らず、チップオンボード（ＣＯＢ）のＬＥＤ等、他の種類のＬＥＤであってもよい。また、ＬＥＤ４１１に代えて、有機ＥＬ又はレーザといった他の種類の光源が用いられてもよい。
【００２７】
取り付け部材４２０は、板状である。取り付け部材４２０は、光源モジュール４１０が取り付けられる光源取り付け部４２１と、光源取り付け部４２１の外郭に形成される突出部４２２とを有する。なお、光源取り付け部４２１の周囲には、固定カバー４４０を締結するためのネジ穴４２３、取り付け補助部材４３０を取り付けるための１対の穴４２４等が形成される。
【００２８】
取り付け部材４２０は、取り付け面４２５を有する。固定カバー４４０は、取り付け面４２５に取り付けられる。後述するように、固定カバー４４０には、開口部４４２が設けられる。光源モジュール４１０は、固定カバー４４０と取り付け部材４２０との間に挟まれた状態で取り付け面４２５の中心を含む領域に固定され、固定カバー４４０の開口部４４２を通して光を照射する。取り付け補助部材４３０は、取り付け面４２５の光源モジュール４１０が固定された領域に隣接する位置に、光源モジュール４１０の位置決めのために設置される。
【００２９】
図９及び図１０に示すように、取り付け補助部材４３０は、弓状に形成された板材であり、一方の面の両端側に形成される取り付け凸部４３１と、他方の面の略中央に形成される固定凸部４３２とを有する。取り付け補助部材４３０は、取り付け部材４２０に取り付けられ、アーチ状に形成された内側面である案内面４３３に光源モジュール４１０を当接させることで、光源モジュール４１０が取り付け部材４２０の決まった位置に取り付けられるように光源モジュール４１０の取り付けをガイドする。
【００３０】
取り付け補助部材４３０は、さらに、固定凸部４３２が形成される面と同じ面から立ち上がって途中で折り返すように形成される第１凸部４３４を有する。第１凸部４３４は、バネ性を有する。第１凸部４３４は、具体的には、Ｕ字状に形成される弾性部４３５と、弾性部４３５の先端付近に形成され、第１穴１５０に引っ掛けられる係止凸部４３６とを有する。第１凸部４３４は、いわゆるスナップフィットと呼ばれる構造であり、弾性部４３５の弾性力によって係止凸部４３６が第１穴１５０に挿入された状態を保つことで、照明ユニット３００を枠体１００に固定する。
【００３１】
取り付け補助部材４３０の案内面４３３は、取り付け面４２５に対して垂直に延びて光源モジュール４１０の側面の一部に接することで、取り付け面４２５への光源モジュール４１０の取り付けを案内する。これにより、取り付け面４２５における光源モジュール４１０の位置決めが行われる。本実施の形態において、光源モジュール４１０の側面の一部は、外側に膨らんだ形状である。案内面４３３は、この光源モジュール４１０の側面の外側に膨らんだ形状に合わせて内側に凹んでいる。そのため、光源モジュール４１０を取り付け面４２５へ取り付ける作業がスムーズに行える。
【００３２】
取り付け面４２５には、前述した１対の穴４２４が設けられる。取り付け補助部材４３０の１対の取り付け凸部４３１が、これら１対の穴４２４に嵌ることで、取り付け補助部材４３０が取り付け面４２５に固定される。
【００３３】
固定カバー４４０の取り付け面４２５に対向する対向面４４６には、溝４４７が設けられる。取り付け補助部材４３０の固定凸部４３２が、この溝４４７に嵌ることで、取り付け補助部材４３０が対向面４４６に固定される。なお、溝４４７の代わりに、穴が設けられてもよい。
【００３４】
固定カバー４４０の側面には、切り欠き４４８が設けられる。取り付け補助部材４３０は、一部が固定カバー４４０の側面の切り欠き４４８から外側に露出する。取り付け補助部材４３０の第１凸部４３４は、取り付け補助部材４３０の外側に露出した部分に配置される。
【００３５】
固定カバー４４０は、略中央が円形状に開口したカバー本体部４４１と、カバー本体部４４１の開口部４４２の周縁部から立設するように形成される内壁部４４３と、カバー本体部４４１の外周部から立設するように形成される外壁部４４４とを有する。固定カバー４４０は、さらに、外壁部４４４の一部が凹んで形成され、１対のバネ４５０が取り付けられる１対のバネ取り付け部４４５を有する。
【００３６】
固定カバー４４０の対向面４４６と反対側の面には、３つの凸部４４９が設けられる。２つの凸部４４９は、バネ取り付け部４４５の端部を囲み、残りの１つの凸部４４９は、溝４４７の端縁部を囲む。照明ユニット３００が机上等に置かれる際には、これらの凸部４４９が机上面等に接し、光透過性カバー４７０が机上面等に接して傷付くことを防止する。
【００３７】
図１１に示すように、バネ４５０は、長手状かつ平板状の金属板が長手方向の複数箇所で折り曲げられて形成される板バネである。バネ４５０は、コ字状に屈曲させて形成されたコ字状部４５１と、コ字状部４５１の一端付近が切り起こされて斜めに突出するように形成され、バネ取り付け部４４５に嵌る係止部４５２とを有する。バネ４５０は、さらに、コ字状部４５１の他端から延びて長手方向の少なくとも１箇所が屈曲するように形成され、第２穴１６０に引っ掛けられる第２凸部４５３を有する。第２凸部４５３は、弾性力によって一部が第２穴１６０に挿入された状態を保つことで、照明ユニット３００を枠体１００に固定する。
【００３８】
本実施の形態では、取り付け補助部材４３０の第１凸部４３４が立ち上がり部１２０の第１穴１５０に引っ掛かるとともに、バネ４５０の第２凸部４５３が立ち上がり部１２０の第２穴１６０に引っ掛かることで、照明ユニット３００が枠体１００に確実に固定される。なお、第２凸部４５３は、固定カバー４４０に取り付けられるバネ４５０に形成される代わりに、固定カバー４４０の一部として形成されてもよい。即ち、光源ユニット４００は、バネ４５０に限らず、任意の部材の一部として、第２穴１６０に引っ掛かる第２凸部４５３を有していればよい。
【００３９】
光透過性カバー４７０は、透光性を有する樹脂で形成された円形状の板材であり、外周部から一方の面に対して略垂直となるように突出する２つの係止爪４７１を有する。光透過性カバー４７０は、開口部４４２の周囲に設けられた係止穴に係止爪４７１が嵌り込むことで、固定カバー４４０の開口部４４２を覆うように固定カバー４４０に取り付けられる。
【００４０】
絶縁シート４８０は、光源モジュール４１０と取り付け部材４２０との間に配置される。
【００４１】
電源ユニット５００は、電源収納ケース５１０と、電源回路部５２０と、金属プレート５３０と、電源端子台５４０と、ネジ５５０と、放熱フィン５６０とを備える。
【００４２】
電源収納ケース５１０は、取り付け部材４２０に取り付けられる有底の円筒形状のケースである。電源回路部５２０は、電源収納ケース５１０に収納され、光源モジュール４１０に電力を供給する。金属プレート５３０は、電源収納ケース５１０の開口部分を塞ぐように電源収納ケース５１０に取り付けられる。電源端子台５４０は、金属プレート５３０に取り付けられ、電源回路部５２０と電線を介して電気的に接続される。ネジ５５０は、金属プレート５３０を電源収納ケース５１０に締結する。放熱フィン５６０は、電源収納ケース５１０の外周部に取り付けられる。
【００４３】
＊＊＊組み立て手順の説明＊＊＊
本実施の形態に係る装置である照明装置９００の組み立て手順を説明する。
【００４４】
照明ユニット３００は、以下のように組み立てられる。
【００４５】
まず、取り付け部材４２０を電源収納ケース５１０にスポット溶接し、電源収納ケース５１０に電源回路部５２０を挿入する。電源回路部５２０が収納された電源収納ケース５１０の開口部分の周縁部に金属プレート５３０をネジ５５０で締結し、金属プレート５３０に電源端子台５４０を取り付ける。
【００４６】
次に、取り付け部材４２０に取り付け補助部材４３０を取り付け、取り付け補助部材４３０によってガイドされるように取り付け補助部材４３０に光源モジュール４１０を当てて、光源モジュール４１０を取り付け部材４２０の決められた位置に取り付ける。次に、バネ４５０を固定カバー４４０のバネ取り付け部４４５に取り付けた状態で、固定カバー４４０が光源モジュール４１０及び取り付け補助部材４３０に覆いかぶさるように、固定カバー４４０を取り付け部材４２０に取り付ける。固定カバー４４０をネジ４６０で締結し、光透過性カバー４７０を固定カバー４４０に取り付ける。
【００４７】
照明ユニット３００は、以下のように枠体１００に取り付けられる。
【００４８】
図１２に示すように、照明ユニット３００を水平にした状態で、枠体１００の立ち上がり部１２０に挿入していく。このとき、取り付け補助部材４３０の第１凸部４３４が立ち上がり部１２０の第１穴１５０に対して上方に位置し、バネ４５０の第２凸部４５３が立ち上がり部１２０の第２穴１６０に対して上方に位置するようにする。照明ユニット３００を押し下げると、第１凸部４３４及び第２凸部４５３が立ち上がり部１２０の内壁によって押圧され、弾性変形する。照明ユニット３００をさらに押し下げると、第１凸部４３４及び第２凸部４５３がそれぞれ第１穴１５０及び第２穴１６０に到達したところで弾性力を発揮して元の形状に戻り、それぞれ第１穴１５０及び第２穴１６０に嵌る。これにより、照明ユニット３００が枠体１００に固定される。
【００４９】
＊＊＊実施の形態の効果の説明＊＊＊
本実施の形態では、取り付け面４２５の光源モジュール４１０が固定された領域に隣接する位置に、光源モジュール４１０の位置決めのための取り付け補助部材４３０が設置される。このため、本実施の形態によれば、光源ユニット４００を組み立てやすくなる。
【００５０】
本実施の形態では、取り付け補助部材４３０の一部が固定カバー４４０の側面の切り欠き４４８から外側に露出しており、この露出した部分に、照明ユニット３００を枠体１００に固定する機構の少なくとも一部が設けられる。具体的には、取り付け補助部材４３０の外側に露出する部分に、枠体１００の第１穴１５０に引っ掛かる第１凸部４３４が設けられる。このため、本実施の形態によれば、単一の部材である取り付け補助部材４３０によって、取り付け面４２５における光源モジュール４１０の位置決めと、枠体１００への照明ユニット３００の固定との両方を行うことができる。
【００５１】
固定カバー４４０の側面には、取り付け補助部材４３０の外側に露出する部分に合わせて、切り欠き４４８が設けられる。このため、本実施の形態によれば、取り付け補助部材４３０によって、固定カバー４４０の位置決めも行うことができる。
【００５２】
本実施の形態では、スナップフィット構造を採用することによって、照明ユニット３００を枠体１００に対して上方から挿入する際に、第１凸部４３４及び第２凸部４５３をそれぞれ第１穴１５０及び第２穴１６０に略同時に嵌めることができる。このため、照明ユニット３００を枠体１００に取り付ける際の作業性が向上する。
【００５３】
取り付け部材４２０は、固定カバー４４０と別体になっているため、固定カバー４４０の材質と異なる材質とすることができる。具体的には、取り付け部材４２０の材質を弾性のある部材とすることができる。また、取り付け部材４２０をグレー、赤等、固定カバー４４０と異なる色にすることによって、第１凸部４３４を目立たせることができる。
【００５４】
固定カバー４４０は、照明ユニット３００におけるリフレクタの機能を兼ねており、光源モジュール４１０から照射される光、及び、光透過性カバー４７０を透過せずに内部に反射した光を反射させて光透過性カバー４７０の外側に出射させることができる。これにより、光の取り出し効率が高まる。固定カバー４４０の反射率を光源モジュール４１０の基板４１２の反射率以上とすると、特にＬＥＤ４１１が発する光を反射させて光透過性カバー４７０の外側に出射させやすくなるため、光の取り出し効率がより一層高まる。
【００５５】
＊＊＊他の構成＊＊＊
本実施の形態では、第１凸部４３４及び第２凸部４５３がそれぞれ第１穴１５０及び第２穴１６０に引っ掛かることで、照明ユニット３００が枠体１００に固定されるが、第１凸部４３４と第１穴１５０との位置関係、或いは、第２凸部４５３と第２穴１６０との位置関係が逆でもよい。即ち、第１凸部４３４が立ち上がり部１２０に設けられ、第１穴１５０が取り付け補助部材４３０に設けられてもよい。また、第２凸部４５３が立ち上がり部１２０に設けられ、第２穴１６０がバネ４５０又は固定カバー４４０等に設けられてもよい。
【００５６】
実施の形態２．
本実施の形態について、主に実施の形態１との差異を説明する。
【００５７】
図１３及び図１４及び図１５に示すように、本実施の形態では、取り付け補助部材４３０が第１凸部４３４を有しておらず、取り付け部材４２０の突出部４２２が、第１凸部に相当する。即ち、本実施の形態では、実施の形態１における取り付け補助部材４３０の第１凸部４３４の代わりに、取り付け部材４２０の突出部４２２が、立ち上がり部１２０の第１穴１５０に引っ掛けられる。そのため、第１穴１５０は、高さ方向において取り付け部材４２０と同じ位置、即ち、実施の形態１に比べて高い位置に設けられている。
【００５８】
照明ユニット３００の組み立て手順については、実施の形態１のものと同じである。
【００５９】
照明ユニット３００は、以下のように枠体１００に取り付けられる。
【００６０】
図１６に示すように、照明ユニット３００を斜めにした状態で、取り付け部材４２０の突出部４２２を立ち上がり部１２０の第１穴１５０に挿入する。次に、突出部４２２を中心として照明ユニット３００が回転するように、照明ユニット３００を押し下げると、第２凸部４５３が立ち上がり部１２０の内壁によって押圧され、弾性変形する。照明ユニット３００をさらに押し下げると、第２凸部４５３が第２穴１６０に到達したところで弾性力を発揮して元の形状に戻り、第２穴１６０に嵌る。これにより、照明ユニット３００が枠体１００に固定される。
【００６１】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。具体的には、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【００６２】
１００  枠体、１１０  ツバ部、１２０  立ち上がり部、１３０  枠部、１４０  取り付けバネ保持部、１５０  第１穴、１６０  第２穴、１７０  傾斜部、１７１  開口部、１８０  傾斜面、２００  取り付けバネ、３００  照明ユニット、４００  光源ユニット、４１０  光源モジュール、４１１  ＬＥＤ、４１２  基板、４２０  取り付け部材、４２１  光源取り付け部、４２２  突出部、４２３  ネジ穴、４２４  穴、４２５  取り付け面、４３０  取り付け補助部材、４３１  取り付け凸部、４３２  固定凸部、４３３  案内面、４３４  第１凸部、４３５  弾性部、４３６  係止凸部、４４０  固定カバー、４４１  カバー本体部、４４２  開口部、４４３  内壁部、４４４  外壁部、４４５  バネ取り付け部、４４６  対向面、４４７  溝、４４８  切り欠き、４４９  凸部、４５０  バネ、４５１  コ字状部、４５２  係止部、４５３  第２凸部、４６０  ネジ、４７０  光透過性カバー、４７１  係止爪、４８０  絶縁シート、５００  電源ユニット、５１０  電源収納ケース、５２０  電源回路部、５３０  金属プレート、５４０  電源端子台、５５０  ネジ、５６０  放熱フィン、９００  照明装置。
【図１】
2017041333.tif 000003
【図２】
2017041333.tif 000004
【図３】
2017041333.tif 000005
【図４】
2017041333.tif 000006
【図５】
2017041333.tif 000007
【図６】
2017041333.tif 000008
【図７】
2017041333.tif 000009
【図８】
2017041333.tif 000010
【図９】
2017041333.tif 000011
【図１０】
2017041333.tif 000012
【図１１】
2017041333.tif 000013
【図１２】
2017041333.tif 000014
【図１３】
2017041333.tif 000015
【図１４】
2017041333.tif 000016
【図１５】
2017041333.tif 000017
【図１６】
2017041333.tif 000018
【手続補正書】
【提出日】平成28年12月29日(2016.12.29)
【手続補正１】
【補正対象書類名】特許請求の範囲
【補正対象項目名】全文
【補正方法】変更
【補正の内容】
【特許請求の範囲】
【請求項１】
開口部が設けられた固定カバーと、
前記固定カバーが取り付けられた取り付け面を有する取り付け部材と、
前記固定カバーと前記取り付け部材との間に挟まれた状態で前記取り付け面の中心を含む領域に固定され、前記固定カバーの開口部を通して光を照射する光源モジュールと、
前記取り付け面の前記光源モジュールが固定された領域に隣接する位置に、前記光源モジュールの位置決めのために設置された取り付け補助部材と
を備える光源ユニット。
【請求項２】
前記取り付け補助部材は、前記取り付け面に対して垂直に延びて前記光源モジュールの側面の一部に接する案内面を有する請求項１に記載の光源ユニット。
【請求項３】
前記光源モジュールの側面の一部は、外側に膨らんだ形状であり、
前記案内面は、前記光源モジュールの側面の外側に膨らんだ形状に合わせて内側に凹んでいる請求項２に記載の光源ユニット。
【請求項４】
前記取り付け面には、１対の穴が設けられ、
前記取り付け補助部材は、前記取り付け面の１対の穴に嵌る１対の取り付け凸部を有する請求項１から３のいずれか１項に記載の光源ユニット。
【請求項５】
前記固定カバーの前記取り付け面に対向する対向面には、穴又は溝が設けられ、
前記取り付け補助部材は、前記対向面の穴又は溝に嵌る固定凸部を有する請求項１から４のいずれか１項に記載の光源ユニット。
【請求項６】
埋め込み穴に埋め込まれて使用される照明装置であって、
請求項１から５のいずれか１項に記載の光源ユニットと、
前記埋め込み穴の径よりも外径が大きく内径が小さい環状のツバ部と、前記ツバ部から立ち上がり第１穴及び第２穴が設けられた立ち上がり部とを有する枠体と
を備え、
前記取り付け補助部材は、前記立ち上がり部の第１穴に引っ掛かる第１凸部を有し、
前記光源ユニットは、さらに、前記立ち上がり部の第２穴に引っ掛かる第２凸部を有する照明装置。
【請求項７】
前記固定カバーの側面には、切り欠きが設けられ、
前記取り付け補助部材は、一部が前記固定カバーの側面の切り欠きから外側に露出し、
前記第１凸部は、前記取り付け補助部材の外側に露出した部分に配置されている請求項６に記載の照明装置。
【請求項８】
前記第１凸部は、バネ性を有する請求項６又は７に記載の照明装置。
【請求項９】
前記第２凸部は、前記固定カバーに取り付けられるバネに形成されている請求項６から８のいずれか１項に記載の照明装置。
【請求項１０】
埋め込み穴に埋め込まれて使用される照明装置であって、
第１凸部及び第２凸部が設けられた光源ユニットと、前記光源ユニットに電力を供給する電源ユニットとを備える照明ユニットと、
前記埋め込み穴の径よりも外径が大きく内径が小さい環状のツバ部と、前記ツバ部から立ち上がり、第１穴及び第２穴が設けられた立ち上がり部とを備える枠体と
を備え、
前記立ち上がり部の前記ツバ部がある側とは反対側から前記照明ユニットの前記光源ユニットを含む一部分が前記立ち上がり部に挿入された状態で、前記光源ユニットに設けられた第１凸部及び第２凸部がそれぞれ前記立ち上がり部に設けられた第１穴及び第２穴に嵌ることにより、前記照明ユニットが前記枠体に固定される照明装置。